(57)【要約】【課題】基板（被処理物）の撓みを抑制しつつ、安定して被処理物を搬送する。【解決手段】処理装置が提供される。この処理装置は、被処理物の平面が水平に対して搬送方向軸周りに傾斜した状態で被処理物を搬送する搬送部と、被処理物の平面に対して、研磨及び洗浄の少なくとも一つを実行する処理部と、を有する。搬送部は、被処理物の端部に物理的に接触して被処理物に搬送方向の力を加えるように構成される駆動部と、被処理物の平面に対向して配置される第１のベルヌーイチャックと、被処理物の上記端部とは逆側の端部の端面に対向して配置される第２のベルヌーイチャックと、を有する。【選択図】図２
2018085405.tif 000002
【特許請求の範囲】
【請求項１】
被処理物の平面が水平に対して搬送方向軸周りに傾斜した状態で前記被処理物を搬送する搬送部と、
前記被処理物の前記平面に対して、研磨、洗浄、及び乾燥の少なくとも一つを実行する処理部と、を有し、
前記搬送部は、
前記被処理物の端部に物理的に接触して前記被処理物に搬送方向の力を加えるように構成される駆動部と、
前記被処理物の前記平面に対向して配置される第１のベルヌーイチャックと、
前記被処理物の前記端部とは逆側の端部の端面に対向して配置される第２のベルヌーイチャックと、を有する、処理装置。
【請求項２】
請求項１に記載された処理装置において、
前記搬送部は、前記被処理物の前記平面が水平に対して５°以上８５°以下の角度で傾斜した状態で前記被処理物を搬送するように構成される、処理装置。
【請求項３】
請求項１又は２に記載された処理装置において、
前記被処理物の両面に対向して配置される複数の前記第１のベルヌーイチャックを有する、処理装置。
【請求項４】
請求項１から３のいずれか一項に記載された処理装置において、
前記被処理物の搬送方向に沿って配置される複数の前記第１のベルヌーイチャックを有し、
前記処理部は、前記被処理物の搬送方向に沿って配置される複数の前記第１のベルヌーイチャックの間に配置される、処理装置。
【請求項５】
請求項１から４のいずれか一項に記載された処理装置において、
前記第２のベルヌーイチャックは、前記被処理物の搬送方向において、前記第１のベルヌーイチャックよりも長い、処理装置。
【請求項６】
請求項１から５のいずれか一項に記載された処理装置において、
前記第１のベルヌーイチャックは、前記被処理物を挟んで前記処理部と対向する位置に配置される、処理装置。
【請求項７】
請求項１から６のいずれか一項に記載された処理装置において、
被処理物の入口と、
前記被処理物の出口と、
前記入口から投入された前記被処理物が搬送される第１搬送経路と、
前記第１搬送経路において前記被処理物が搬送される方向とは逆方向に前記被処理物が搬送され、前記第１搬送経路及び前記出口につながる第２搬送経路と、
前記第１搬送経路と前記第２搬送経路とを接続する鉛直搬送経路と、
前記鉛直搬送経路において、前記第１搬送経路から前記第２搬送経路に向かって鉛直方向に前記被処理物を搬送する鉛直搬送機構を有する、処理装置。
【請求項８】
請求項７に記載された処理装置において、
前記鉛直搬送機構は、前記被処理物を非接触で保持するように構成された第３のベルヌーイチャックを有する、処理装置
【請求項９】
請求項１から８のいずれか一項に記載された処理装置を備えためっき装置であって、
めっき処理部と、
基板搬送部と、を備え、
前記基板搬送部は、前記めっき処理部でめっき処理された前記被処理物を前記処理装置の入口に投入し、前記処理装置で処理された前記被処理物を前記出口から取り出すように構成される、めっき装置。
【請求項１０】
被処理物の平面が水平に対して搬送方向軸周りに傾斜した状態で前記被処理物を搬送する工程と、
前記被処理物の前記平面に対して、研磨、洗浄、及び乾燥の少なくとも一つを実行する処理工程と、を有し、
前記搬送する工程は、
前記被処理物の端部に搬送方向の力を物理的に加える工程と、
前記被処理物の厚さ方向の移動を制限するように、前記被処理物の前記平面を第１のベルヌーイチャックで保持する工程と、
前記搬送方向と直交する前記被処理物の面内方向の移動を制限するように、前記被処理物の前記端部とは逆側の端部の端面を第２のベルヌーイチャックで保持する工程と、を有する、処理方法。
【請求項１１】
請求項１０に記載された処理方法において、
前記搬送する工程は、前記被処理物の前記平面が水平に対して５°以上８５°以下の角度で傾斜した状態で前記被処理物を搬送する工程を含む、処理方法。
【請求項１２】
請求項１０又は１１に記載された処理方法において、
前記第１のベルヌーイチャックで保持する工程は、前記被処理物の両面を複数の前記第１のベルヌーイチャックで保持する工程を有する、処理方法。
【請求項１３】
請求項１０から１２のいずれか一項に記載された処理方法において、
前記搬送する工程は、
第１搬送経路を通じて前記被処理物を搬送する工程と、
前記第１搬送経路から第２搬送経路に向かって鉛直方向に前記被処理物を搬送する鉛直搬送工程と、
前記第２搬送経路を通じて前記被処理物を搬送する工程と、を有し、
前記鉛直搬送工程は、第３のベルヌーイチャックを用いて前記被処理物を非接触で保持しながら搬送する、処理方法。
【請求項１４】
請求項１０から１３のいずれか一項に記載された処理方法において、
研磨、洗浄、及び乾燥の少なくとも一つを実行する前記処理工程は、ヘッド部に保持され、所定速度で一方向に送られるテープ部材を前記被処理物の前記平面に押圧させて行う工程を含む、処理方法。
【請求項１５】
請求項１０から１４のいずれか一項に記載された処理方法において、
研磨、洗浄、及び乾燥の少なくとも一つを実行する前記処理工程は、ヘッド部に保持されたシート状部材を前記被処理物の前記平面に押圧させて行う工程を含む、処理方法。
【請求項１６】
被処理物の平面が水平に対して搬送方向軸周りに傾斜した状態で前記被処理物を搬送する搬送装置であって、
前記被処理物の端部に物理的に接触して前記被処理物に搬送方向の力を加えるように構成される駆動部と、
前記被処理物の前記平面に対向して配置される第１のベルヌーイチャックと、
前記被処理物の前記端部とは逆側の端部の端面に対向して配置される第２のベルヌーイ
チャックと、を有する、搬送装置。
【発明の詳細な説明】
【技術分野】
【０００１】
本発明は、処理装置、これを備えためっき装置、搬送装置、及び処理方法に関する。
【背景技術】
【０００２】
従来、半導体ウェハやプリント基板等の基板の表面に配線やバンプ（突起状電極）等を形成したりすることが行われている。この配線及びバンプ等を形成する方法として、電解めっき法が知られている。
【０００３】
電解めっき法に用いるめっき装置では、一般的には３００ｍｍの直径を有するウェハ等の円形基板にめっき処理を行っている。しかしながら、近年では、このような円形基板に限らず、角形基板に洗浄、研磨、又はめっき等をすることが求められている。このような角形基板は、例えば、円形のウェハから作成したチップ等を、樹脂材料からなる基板の片面又は両面に貼り付けることで形成される。
【０００４】
ところで、基板を搬送する際に、搬送装置の設置面積を縮小するために、基板を縦型の姿勢にした状態で搬送することが知られている（例えば、特許文献１参照）。また、基板を搬送する際に、洗浄又は研磨等の液体を必要とする処理を行う場合、基板を縦型の姿勢にすることで基板表面の液切れを効率よく行うこともできる。
【先行技術文献】
【特許文献】
【０００５】
【特許文献１】特許第３０４２５９８号
【発明の概要】
【発明が解決しようとする課題】
【０００６】
しかしながら、特許文献１に記載された搬送装置では、基板の上端部が自由端になる（基板の上端部が保持されない）ので、基板の剛性が低い場合は、基板を縦型の姿勢にしたときに基板が撓む可能性がある。また、基板の重さが比較的軽い場合は、搬送ローラ間の微小な段差等により、基板がガタついて搬送されて搬送ローラから断続的に離間する虞がある。この場合、基板と搬送ローラとの接触が適切に行われず、安定した速度で搬送できない場合がある。このような問題点は、角形基板に限らず、円形基板であっても同様に生じ得る。
【０００７】
本発明は上記問題に鑑みてなされたものである。その目的は、基板（被処理物）の撓みを抑制しつつ、安定して被処理物を搬送することである。
【課題を解決するための手段】
【０００８】
本発明の一形態によれば、処理装置が提供される。この処理装置は、被処理物の平面が水平に対して搬送方向軸周りに傾斜した状態で前記被処理物を搬送する搬送部と、前記被処理物の前記平面に対して、研磨及び洗浄の少なくとも一つを実行する処理部と、を有する。前記搬送部は、前記被処理物の端部に物理的に接触して前記被処理物に搬送方向の力を加えるように構成される駆動部と、前記被処理物の前記平面に対向して配置される第１のベルヌーイチャックと、前記被処理物の前記端部とは逆側の端部の端面に対向して配置される第２のベルヌーイチャックと、を有する。
【０００９】
本発明の一形態によれば、被処理物の平面が水平に対して搬送方向軸周りに傾斜した状態で前記被処理物を搬送する搬送装置が提供される。この搬送装置は、前記被処理物の端
部に物理的に接触して前記被処理物に搬送方向の力を加えるように構成される駆動部と、前記被処理物の前記平面に対向して配置される第１のベルヌーイチャックと、前記被処理物の前記端部とは逆側の端部の端面に対向して配置される第２のベルヌーイチャックと、を有する。
【００１０】
本発明の一形態によれば、処理方法が提供される。この処理方法は、被処理物の平面が水平に対して搬送方向軸周りに傾斜した状態で前記被処理物を搬送する工程と、前記被処理物の前記平面に対して、研磨及び洗浄の少なくとも一つを実行する処理工程と、を有する。前記搬送する工程は、前記被処理物の端部に搬送方向の力を物理的に加える工程と、前記被処理物の厚さ方向の移動を制限するように、前記被処理物の前記平面を第１のベルヌーイチャックで保持する工程と、前記搬送方向と直交する前記被処理物の面内方向の移動を制限するように、前記被処理物の前記端部とは逆側の端部の端面を第２のベルヌーイチャックで保持する工程と、を有する。
【図面の簡単な説明】
【００１１】
【図１】本実施形態に係る処理装置を備えためっき装置の全体配置図である。
【図２】洗浄装置の概略側断面図である。
【図３Ａ】搬送部の側面図である。
【図３Ｂ】図３Ａにおける矢視Ａ−Ａにおける搬送部の断面図である。
【図４】搬送部の別の形態を示す図である。
【図５】他の形態に係る洗浄装置の概略側断面図である。
【図６】他の形態に係る洗浄装置の概略側断面図である。
【図７】研磨装置の概略側断面図である。
【図８】研磨装置で基板を研磨する例を示す斜視図である。
【図９】研磨ヘッドで基板を研磨するときの、基板の搬送と研磨ヘッドの動きの例を示す概略図である。
【図１０】研磨ヘッドで基板を研磨するときの、基板の搬送と研磨ヘッドの動きの例を示す概略図である。
【図１１】他の形態に係る洗浄装置の概略側断面図である。
【図１２】本実施形態に係る処理装置を備えた他のめっき装置の全体配置図である。
【発明を実施するための形態】
【００１２】
以下、本発明の実施形態について図面を参照して説明する。以下で説明する図面において、同一の又は相当する構成要素には、同一の符号を付して重複した説明を省略する。図１は、本実施形態に係る処理装置を備えためっき装置の全体配置図である。本実施形態に係るめっき装置は、処理装置の一例として洗浄装置５０を有する。図１に示すように、このめっき装置１００は、基板ホルダに基板（被処理物の一例に相当する）をロードし、又は基板ホルダから基板をアンロードするロード／アンロード部１１０と、基板を処理する処理部１２０と、洗浄部５０ａとに大きく分けられる。処理部１２０は、さらに、基板の前処理及び後処理を行う前処理・後処理部１２０Ａと、基板にめっき処理を行うめっき処理部１２０Ｂとを含む。めっき装置１００のロード／アンロード部１１０と処理部１２０と、洗浄部５０ａとは、それぞれ別々のフレーム（筐体）で囲まれている。なお、このめっき装置１００で処理する基板は、角形基板、円形基板を含む。また、角形基板は、角形のプリント基板や、その他のめっき対象物等を含む。
【００１３】
ロード／アンロード部１１０は、２台のカセットテーブル２５と、基板脱着機構２９とを有する。カセットテーブル２５は、半導体ウェハやプリント基板等の基板を収納したカセット２５ａを搭載する。基板脱着機構２９は、基板を図示しない基板ホルダに着脱するように構成される。また、基板脱着機構２９の近傍（例えば下方）には基板ホルダを収容するためのストッカ３０が設けられる。これらのユニット２５，２９，３０の中央には、
これらのユニット間で基板を搬送する搬送用ロボットからなる基板搬送装置２７が配置されている。基板搬送装置２７は、走行機構２８により走行可能に構成される。
【００１４】
洗浄部５０ａは、めっき処理後の基板を洗浄して乾燥させる洗浄装置５０（処理装置の一例に相当する）を有する。基板搬送装置２７は、めっき処理後の基板を洗浄装置５０に搬送し、洗浄及び乾燥された基板を洗浄装置５０から取り出すように構成される。洗浄装置５０の詳細については、後述する図２と共に説明する。
【００１５】
前処理・後処理部１２０Ａは、プリウェット槽３２と、プリソーク槽３３と、プリリンス槽３４と、ブロー槽３５と、リンス槽３６と、を有する。プリウェット槽３２では、基板が純水に浸漬される。プリソーク槽３３では、基板の表面に形成したシード層等の導電層の表面の酸化膜がエッチング除去される。プリリンス槽３４では、プリソーク後の基板が基板ホルダと共に洗浄液（純水等）で洗浄される。ブロー槽３５では、洗浄後の基板の液切りが行われる。リンス槽３６では、めっき後の基板が基板ホルダと共に洗浄液で洗浄される。プリウェット槽３２、プリソーク槽３３、プリリンス槽３４、ブロー槽３５、リンス槽３６は、この順に配置されている。
【００１６】
めっき処理部１２０Ｂは、オーバーフロー槽３８を備えた複数のめっき槽３９を有する。各めっき槽３９は、内部に一つの基板を収納し、内部に保持しためっき液中に基板を浸漬させて基板表面に銅めっき等のめっきを行う。ここで、めっき液の種類は、特に限られることはなく、用途に応じて様々なめっき液が用いられる。
【００１７】
めっき装置１００は、これらの各機器の側方に位置して、これらの各機器の間で基板ホルダを基板とともに搬送する、例えばリニアモータ方式を採用した基板ホルダ搬送装置３７を有する。この基板ホルダ搬送装置３７は、基板脱着機構２９、プリウェット槽３２、プリソーク槽３３、プリリンス槽３４、ブロー槽３５、リンス槽３６、及びめっき槽３９との間で基板ホルダを搬送するように構成される。
【００１８】
次に、図１に示した洗浄装置５０について詳細に説明する。図２は、洗浄装置５０の概略側断面図である。図２においては、説明の便宜上、図１に示したストッカ３０及び基板搬送装置２７が示されている。図２に示す洗浄装置５０は、全体的に５つのチャンバから構成されている。具体的には、洗浄装置５０は、基板Ｗ１の入口５１を備える第１チャンバ５３と、第２チャンバ５４と、第３チャンバ５５と、第４チャンバ５６と、基板Ｗ１の出口５２を備える第５チャンバ５７と、を有する。第２チャンバ５４は、第１チャンバ５３及び第３チャンバ５５と連通している。第１チャンバ５３及び第２チャンバ５４は、基板Ｗ１を水平方向に搬送するための第１搬送経路を構成する。第４チャンバ５６は、第３チャンバ５５及び第５チャンバ５７と連通している。第４チャンバ５６及び第５チャンバ５７は、基板Ｗ１を、第１搬送経路とは逆方向に搬送するための第２搬送経路を構成する。第３チャンバ５５は、第１搬送経路と第２搬送経路とを接続する鉛直搬送経路を構成する。本実施形態では、第１チャンバ５３及び第２チャンバ５４から成る第１搬送経路は、第４チャンバ５６及び第５チャンバ５７から成る第２搬送経路の下方に位置する。しかしながら、各チャンバの配置構成はこれに限らず、例えば、第１チャンバ５３及び第２チャンバ５４から成る第１搬送経路が、第４チャンバ５６及び第５チャンバ５７から成る第２搬送経路の下方に位置してもよい。また、洗浄装置５０の設置面積に厳しい制約が無ければ、第１搬送経路と第２搬送経路を横方向に並列に配置してもよい。この場合、第３チャンバ５５は、第１搬送経路と第２搬送経路とを接続する水平方向の搬送経路を構成し、経路全体が平面視略Ｕ字形になる。
【００１９】
以下、第１チャンバ５３から第５チャンバ５７の構成を説明する。第１チャンバ５３の内部には、基板Ｗ１を傾斜した状態で搬送する搬送部７０（搬送装置の一例に相当する）
と、基板Ｗ１に対してスクラブ洗浄をするための円盤型スクラブ装置８１（処理部の一例に相当する）とが設けられる。円盤型スクラブ装置８１は、円盤ヘッド（ヘッド部の一例に相当する）が回転可能に構成される。円盤ヘッドの基板Ｗ１と接触する側の面（下面）には、基板Ｗ１をスクラブするための洗浄部材が設けられている。洗浄部材として、例えば、円形又はドーナツ形のシート状部材を採用することができる。このシート状部材は、例えば、ＰＶＡ（ポリビニルアルコール）から形成され、１ｍｍから２０ｍｍ程度の厚みを有する。円盤型スクラブ装置８１は、例えば、図示しないリニアガイド、ボールねじ、及びサーボモータ等を有し、基板Ｗ１の表面と平行に移動することができる。
【００２０】
円盤型スクラブ装置８１は、図示しないノズルから純水等を基板Ｗ１に供給しつつ、円盤ヘッドを回転させながら基板Ｗ１に押し付けることで、基板Ｗ１表面を傷つけることなく、基板Ｗ１表面に付着したパーティクルを除去する。円盤型スクラブ装置８１は、基板Ｗ１を連続的に搬送しながら基板Ｗ１を洗浄することもできるし、洗浄時に基板Ｗ１の搬送を停止させるために基板Ｗ１を断続的に搬送してもよい。具体的には、基板Ｗ１の表面の汚染が激しい場合には、基板Ｗ１の搬送を停止させながら円盤型スクラブ装置８１で洗浄することが好ましい。また、基板Ｗ１の表面の汚染の程度が比較的低い場合は、基板Ｗ１を連続的に搬送しながら円盤型スクラブ装置８１で洗浄することができる。
【００２１】
基板Ｗ１を洗浄していない間、円盤型スクラブ装置８１の洗浄部材が乾燥しないように、例えば、円盤型スクラブ装置８１を基板Ｗ１の搬送経路から退避させて、図示しないスプレーノズルから純水を洗浄部材に供給する。また、図示しない純水タンクを用意し、円盤型スクラブ装置８１の洗浄部材をタンク内の純水に浸漬させるようにしてもよい。この場合、タンク内の純水は、円盤型スクラブ装置８１の洗浄部材が浸漬されるたびに入れ替えられることが好ましい。図示の実施形態では、２つの円盤型スクラブ装置８１が、第１チャンバ５３内に配置されている。
【００２２】
搬送部７０は、具体的には、基板Ｗ１の平面（被処理面でもある）が水平に対して搬送方向軸周りで傾斜した状態で、基板Ｗ１を搬送する。搬送部７０の基本的な構成を図３Ａ及び図３Ｂを参照して説明する。図３Ａは、搬送部７０の側面図であり、図３Ｂは、図３Ａにおける矢視Ａ−Ａにおける搬送部７０の断面図である。図３Ａ及び図３Ｂに示すように、搬送部７０は、駆動部７１と、第１のベルヌーイチャックユニット７２と、第２のベルヌーイチャックユニット７３と、を有する。駆動部７１は、基板Ｗ１の端部に物理的に接触して基板Ｗ１に搬送方向の力を加えるように構成される。図３Ａ及び図３Ｂの例においては、駆動部７１は、基板Ｗ１の下側の端部に接触するローラを有する。駆動部７１は、図示しない駆動源によりローラを回転させて、基板Ｗ１に搬送方向の力を加える。このローラは、基板Ｗ１と接触する部分に水膜が形成され難いテフロン（登録商標）系樹脂、ナイロン樹脂等の材料から構成され得る。また、ローラの基板Ｗ１との接触面に凹凸のローレット加工を施したり、ローラの接触面をポーラス材料で形成したりしてもよい。これにより、水膜の形成を抑制して、基板Ｗ１の搬送時のすべりを防止することができる。
【００２３】
図３Ａに示すように、第１のベルヌーイチャックユニット７２は、基板Ｗ１の平面に沿って、任意の間隔で複数設けられる。図２に示す第１チャンバ５３においては、第１のベルヌーイチャックユニット７２は、円盤型スクラブ装置８１がその間に配置されるように、所定の間隔で離間している。また、図３Ａ及び図３Ｂに示す例では、第１のベルヌーイチャックユニット７２は、基板Ｗ１の両側に設けられる。しかしながら、第１のベルヌーイチャックユニット７２は、基板Ｗ１の片側のみに設けられてもよい。
【００２４】
図３Ｂに示すように、第１のベルヌーイチャックユニット７２は、複数の第１のベルヌーイチャック７２ａを有する。第１のベルヌーイチャック７２ａは、基板Ｗ１の平面に対向するように配置される。図３Ｂに示す例では、一方の側（基板Ｗ１の下面側）の第１の
ベルヌーイチャックユニット７２には５つの第１のベルヌーイチャック７２ａが設けられ、他方の側（基板Ｗ１の上面側）の第１のベルヌーイチャックユニット７２には３つの第１のベルヌーイチャック７２ａが設けられる。第１のベルヌーイチャックユニット７２に設けられる第１のベルヌーイチャック７２ａの数は任意である。第１のベルヌーイチャック７２ａは、空圧式又は液圧式のベルヌーイチャックであり、基板Ｗ１の厚さ方向Ｄ１の移動を制限するように、基板Ｗ１を非接触式で保持することができる。言い換えれば、第１のベルヌーイチャック７２ａは、基板Ｗ１の面内方向Ｄ２の移動を制限することはできない。
【００２５】
図３Ａ及び図３Ｂに示すように、第２のベルヌーイチャックユニット７３は、断面が略Ｕ型であり、基板Ｗ１の搬送方向に延在する。図３Ｂに示すように、第２のベルヌーイチャックユニット７３は、第２のベルヌーイチャック７３ａと、第１のベルヌーイチャック７３ｂと、を有する。第１のベルヌーイチャック７３ｂは、第１のベルヌーイチャック７２ａと同様に基板Ｗ１の平面に対向するように配置され、基板Ｗ１の厚さ方向Ｄ１の移動を制限するように基板Ｗ１の上端部近傍を保持することができる。一方で、第２のベルヌーイチャック７３ａは、基板Ｗ１の上端部の端面に対向して配置される。第２のベルヌーイチャック７３ａは、空圧式又は液圧式のベルヌーイチャックであり、基板Ｗ１の面内方向Ｄ２の移動を制限するように、基板Ｗ１の上端部の端面を非接触式で保持することができる。ここで、面内方向Ｄ２は、基板Ｗ１の搬送方向（図３Ｂにおいて紙面奥行方向）と直交する方向である。
【００２６】
第２のベルヌーイチャックユニット７３の第２のベルヌーイチャック７３ａは、搬送される基板Ｗ１の上端部の端面を可能な限り広い範囲で保持するために、基板Ｗ１の搬送方向に沿って可能な限り長くなるように配置される。好ましくは、第２のベルヌーイチャック７３ａは、第１のベルヌーイチャックユニット７２の第１のベルヌーイチャック７２ａに比べて、基板Ｗ１の搬送方向に沿って長くなるように配置される。これにより、第２のベルヌーイチャック７３ａで基板Ｗ１の上端部の端面を広い範囲で保持しつつ、第１のベルヌーイチャック７２ａ間に研磨、洗浄、乾燥するための処理部を配置するスペースを確保することができる。
【００２７】
搬送部７０は、駆動部７１、第１のベルヌーイチャックユニット７２、及び第２のベルヌーイチャックユニット７３が傾斜することにより、基板Ｗ１を傾斜した姿勢で搬送するように構成される。具体的には、基板Ｗ１は、搬送方向（図３Ｂにおいて紙面奥行方向）軸周りに傾斜した状態で搬送される。ここで「傾斜」とは、水平に対して０°超９０°以下の角度を有することをいう。図３Ｂに示す例では、搬送部７０は、基板Ｗ１を約４５°傾斜した姿勢で搬送する。これにより、基板Ｗ１が水平姿勢で搬送される場合に比べて、洗浄装置５０の設置面積を低減することができるとともに、基板Ｗ１表面の液切れを効率よく行うことができる。好ましくは、搬送部７０は、基板Ｗ１の平面が水平に対して５°以上８５°以下の角度で傾斜した状態で、基板Ｗ１を搬送することが好ましい。図２に示す洗浄装置５０において基板Ｗ１を洗浄すると、基板Ｗ１の表面に付着したパーティクルが洗浄液によって洗い流される。このとき、傾斜角度が５°未満であると、パーティクルを含む洗浄液が基板Ｗ１から落ち難くなる。また、傾斜角度が８５°超であると、洗浄液が基板Ｗ１から直ちに落下するので、基板Ｗ１が乾燥する虞がある。基板Ｗ１が乾燥すると、基板Ｗ１に付着していた洗浄液に含まれるパーティクルが基板Ｗ１表面に残ってしまう。
【００２８】
このように、本実施形態に係る搬送部７０は、基板Ｗ１の上端部の端面を保持することができるので、基板Ｗ１を傾斜した姿勢で搬送しても、基板Ｗ１が撓むことを抑制することができる。また、基板Ｗ１の面内方向Ｄ２の位置を第２のベルヌーイチャック７３ａにより保持することができるので、基板Ｗ１の下端部を駆動部７１に安定して接触させ、安
定した速度で搬送することができる。
【００２９】
また、第２のベルヌーイチャック７３ａは、基板Ｗ１の厚さ方向Ｄ１の移動を制限することはできない。このため、基板Ｗ１が非常に柔らかい場合に、仮に基板Ｗ１の端部が湾曲して第２のベルヌーイチャック７３ａの対向位置からずれてしまうと、第２のベルヌーイチャック７３ａは基板Ｗ１の端面を適切に保持できなくなる。しかしながら、本実施形態に係る搬送部７０は、断面が略Ｕ型の第２のベルヌーイチャックユニット７３を有し、第１のベルヌーイチャック７３ｂで基板Ｗ１の上端部近傍を保持しているので、基板Ｗ１の端部が湾曲することを防止することができる。このため、基板Ｗ１が非常に柔らかい場合であっても、基板Ｗ１の端部を第２のベルヌーイチャック７３ａの対向位置に保持することができ、その結果、第２のベルヌーイチャック７３ａが基板Ｗ１の上端部の端面を適切に保持することができる。
【００３０】
また、本実施形態に係る搬送部７０は、基板Ｗ１の下端部のみが駆動部７１により搬送され、上端部は第２のベルヌーイチャック７３ａで保持される。このため、基板Ｗ１の下端部及び上端部の両方をローラ等の駆動部７１で搬送する場合に比べて、駆動部７１の数を減らすことができる。駆動部７１は、基板Ｗ１に物理的に接触するので、摩耗により定期的な交換が必要になる。したがって、駆動部７１の数を減らすことで、交換する駆動部７１の数も減ることになり、交換に要する作業コスト及び部品コストを低減することができる。また、駆動部７１の数が減ることで、基板Ｗ１への物理的な接触回数を少なくして、基板Ｗ１への物理的な影響を低減することができる。なお、図３Ａに示す搬送部７０において、駆動部７１間に第２のベルヌーイチャックユニット７３を配置してもよい。その場合は、基板Ｗ１の面内方向Ｄ２（図３Ｂ参照）の位置をいっそう安定して維持することができる。
【００３１】
また、図３Ａ及び図３Ｂに示した搬送部７０の駆動部７１は、一例としてローラを有するが、これに限られない。図４は、搬送部７０の別の形態を示す図である。図４に示すように、搬送部７０は、駆動部７１として、基板Ｗ１と接触するベルトを備えたベルトコンベアを有していてもよい。
【００３２】
図２に戻り、洗浄装置５０を説明する。図２に示すように、第１チャンバ５３では、円盤型スクラブ装置８１と対向する位置に、搬送部７０の第１のベルヌーイチャックユニット７２が設けられる。これにより、円盤型スクラブ装置８１で基板Ｗ１の表面を洗浄するときに最も圧力が加わる基板Ｗ１の部分を、第１のベルヌーイチャックユニット７２によって円盤型スクラブ装置８１の反対側から保持することができる。したがって、円盤型スクラブ装置８１を基板Ｗ１に押し付けても、基板Ｗ１が撓むことを抑制することができる。
【００３３】
第２チャンバ５４には、第１チャンバ５３の搬送部７０と同様の搬送部７０と、基板Ｗ１に対してジェット洗浄をするための洗浄ジェットノズル装置８３（処理部の一例に相当する）とが設けられる。洗浄ジェットノズル装置８３は、基板Ｗ１の幅方向に配列された複数のノズル、又は基板Ｗ１の幅方向に延在した単一のノズルを有し、基板Ｗ１の表面に純水等の洗浄液を吹き付けて、基板Ｗ１の表面を非接触で洗浄する。図示の実施形態では、２つの洗浄ジェットノズル装置８３が第１チャンバ５３内に配置されており、それぞれ、基板Ｗ１の両面を洗浄できるように構成されている。なお、洗浄ジェットノズル装置８３の数は任意であり、基板Ｗ１の片面のみを洗浄するように構成されていてもよい。洗浄ジェットノズル装置８３は、搬送部７０の第１のベルヌーイチャックユニット７２間に設けられる。
【００３４】
第３チャンバ５５には、第２チャンバ５４から搬送された基板Ｗ１を受け取り、基板Ｗ
１を第４チャンバ５６に向かって鉛直方向に搬送する鉛直搬送機構８５が設けられる。鉛直搬送機構８５は、例えば、基板Ｗ１の下面を水平姿勢で保持する第３のベルヌーイチャック８５ａと、第３のベルヌーイチャック８５ａを昇降させるリフタ８５ｂとを有する。第３チャンバ５５には、第２チャンバ５４から傾斜して搬送された基板Ｗ１を水平姿勢に回転する図示しない回転機構が設けられていてもよい。第３のベルヌーイチャック８５ａは、この回転機構から、水平姿勢の基板Ｗ１を受け取って非接触で保持する。また、第３チャンバ５５には、第３のベルヌーイチャック８５ａから水平姿勢の基板Ｗ１を受け取り、基板Ｗ１を傾斜させる図示しない回転機構が設けられていてもよい。この回転機構は、傾斜させた基板Ｗ１を第４チャンバ５６に設けられた搬送部７０に受け渡す。
【００３５】
第４チャンバ５６には、第１チャンバ５３の搬送部７０と同様の搬送部７０と、基板Ｗ１に対してスクラブ洗浄するためのロール型スクラブ装置８７（処理部の一例に相当する）が設けられる。ロール型スクラブ装置８７は、基板Ｗ１の表面と接触するロールブラシを有する。ロールブラシの材料としては、例えば、ナイロンブラシ、ＰＶＡスポンジ、不織布等を使用することができる。ロールブラシは、基板Ｗ１の表面と平行に配置され、基板Ｗ１の洗浄時には、所定の圧力で基板Ｗ１に押し付けられるようにバネ等により押付圧力が制御されたり、基板Ｗ１との距離が一定になるように位置が制御されたりする。ロール型スクラブ装置８７は、図示しない純水ノズルからロールブラシに純水を供給して、ロールブラシが乾燥することを防止する。ロール型スクラブ装置８７は、搬送部７０の第１のベルヌーイチャックユニット７２間に設けられる。図示の実施形態では、３つのロール型スクラブ装置８７が、第４チャンバ５６内に配置されている。
【００３６】
第５チャンバ５７には、第１チャンバ５３の搬送部７０と同様の搬送部７０と、基板Ｗ１の表面を非接触で乾燥するためのエアナイフ装置８８（処理部の一例に相当する）と、基板Ｗ１表面を除電するためのイオナイザ８９とが設けられる。エアナイフ装置８８は、例えば、圧縮気体を薄い層状に噴出するための細長いスリットを有し、基板Ｗ１の両面又は片面に圧縮気体を吹き付けることで、基板Ｗ１に付着した洗浄液を除去又は乾燥する。エアナイフ装置８８のスリットは、基板Ｗ１の幅方向と直交するように配置されていてもよいが、基板Ｗ１の下端に向けて洗浄液を拭うように、基板Ｗ１の幅方向に対して角度を有することが好ましい。イオナイザ８９は、所定の極性を有するイオンを基板Ｗ１の表面に放出して、基板Ｗ１を除電することができる。エアナイフ装置８８及びイオナイザ８９は、搬送部７０の第１のベルヌーイチャックユニット７２間に設けられる。
【００３７】
第５チャンバ５７では、基板Ｗ１の乾燥が行われるので、第５チャンバ５７に設けられる搬送部７０の第１のベルヌーイチャックユニット７２及び第２のベルヌーイチャックユニット７３には、空圧式のベルヌーイチャックが採用される。これにより、搬送部７０が基板Ｗ１の乾燥を妨げることがない。
【００３８】
第３チャンバ５５、第４チャンバ５６、及び第５チャンバ５７の上部には、上方から下方に向けて気体を送出するＦＦＵ（Ｆｕｎ  Ｆｉｌｔｅｒ  Ｕｎｉｔ）等の送風ユニット６０が設けられる。送風ユニット６０から送出される気体として、例えばクリーンドライエアや窒素を用いることができる。送風ユニット６０から送風することにより、洗浄装置５０内のパーティクルを下方に押さえつけることができ、第３チャンバ５５、第４チャンバ５６、及び第５チャンバ５７内の雰囲気を清浄に保つことができる。
【００３９】
第１チャンバ５３、第２チャンバ５４、第３チャンバ５５、第４チャンバ５６、及び第５チャンバ５７のそれぞれには、基板Ｗ１の乾燥を防止するために、基板Ｗ１に純水等の液体を供給する液体供給ノズルを適宜設けてもよい。
【００４０】
以上で説明した洗浄装置５０を使用して基板Ｗ１を洗浄するプロセスについて説明する
。まず、図１に示しためっき装置１００においてめっきされた基板Ｗ１を、基板搬送装置２７が保持する。基板搬送装置２７は、入口５１を介して第１チャンバ５３内に基板Ｗ１を投入する。投入された基板Ｗ１は、第１チャンバ５３において、傾斜した状態で搬送部７０によって搬送されつつ、円盤型スクラブ装置８１により洗浄される。円盤型スクラブ装置８１による洗浄においては、基板Ｗ１を搬送しながら洗浄してもよいし、基板Ｗ１の搬送を断続的に行いながら洗浄してもよい。
【００４１】
第１チャンバ５３にて洗浄された基板Ｗ１は、第２チャンバ５４に投入される。第２チャンバ５４では、基板Ｗ１は、傾斜した状態で搬送部７０によって搬送されつつ、洗浄ジェットノズル装置８３により非接触で洗浄される。第２チャンバ５４にて洗浄された基板Ｗ１は、第３チャンバ５５に投入される。第３チャンバ５５では、図示しない回転機構により、第２チャンバ５４から受け取った基板Ｗ１が傾斜した姿勢から水平姿勢にされ、鉛直搬送機構８５の第３のベルヌーイチャック８５ａに受け渡される。基板Ｗ１は、第３のベルヌーイチャック８５ａで保持されながら、リフタ８５ｂにより鉛直方向へ搬送される。鉛直方向に搬送された基板Ｗ１は、図示しない回転機構により、水平姿勢から傾斜した姿勢にされ、第４チャンバ５６の搬送部７０へ受け渡される。
【００４２】
第４チャンバ５６では、基板Ｗ１は、傾斜した状態で搬送部７０によって搬送されつつ、ロール型スクラブ装置８７により洗浄される。第４チャンバ５６で洗浄された基板Ｗ１は、第５チャンバに投入される。第５チャンバ５７では、基板Ｗ１は、傾斜した状態で搬送部７０によって搬送されつつ、エアナイフ装置８８により基板Ｗ１表面の洗浄液が除去又は乾燥される。続いて、基板Ｗ１は、イオナイザ８９により除電された後、基板搬送装置２７により出口５２から取り出される。基板搬送装置２７は、洗浄及び乾燥された基板Ｗ１を図１に示したカセットテーブル２５内の２５ａに収納する。
【００４３】
続いて、洗浄装置５０の他の構成例について説明する。図５は、他の形態に係る洗浄装置５０の概略側断面図である。図５に示す洗浄装置５０は、図２に示した洗浄装置５０と同様に、第１チャンバ５３、第２チャンバ５４、第３チャンバ５５、第４チャンバ５６、及び第５チャンバ５７を有する。図２に示した洗浄装置５０と類似の構成を有しているので、異なる部分を中心に説明する。
【００４４】
第１チャンバ５３には、搬送部７０と、円盤型スクラブ装置８１と、洗浄ジェットノズル装置８３とが設けられる。第１チャンバ５３では、基板Ｗ１は、搬送部７０により傾斜した状態で搬送されつつ、円盤型スクラブ装置８１で洗浄され、続いて洗浄ジェットノズル装置８３で洗浄される。第２チャンバ５４には、搬送部７０と、ロール型スクラブ装置８７とが設けられる。第１チャンバ５３では、第１チャンバ５３で洗浄された基板Ｗ１が、搬送部７０により傾斜した状態で搬送されつつ、ロール型スクラブ装置８７で洗浄される。
【００４５】
第３チャンバ５５には、第２チャンバ５４から搬送された基板Ｗ１を受け取り、基板Ｗ１を第４チャンバ５６に向かって鉛直方向に搬送する鉛直搬送機構８６が設けられる。図５に示す鉛直搬送機構８６は、第３のベルヌーイチャック８６ａと、アーム部８６ｂと、支柱８６ｃと、スライダ８６ｄと、を有する。第３のベルヌーイチャック８６ａは、基板Ｗ１の上面を水平姿勢で保持するように構成される。アーム部８６ｂは、支柱８６ｃから略水平に延在し、第３のベルヌーイチャック８６ａを保持する。支柱８６ｃは、アーム部８６ｂを支持している。スライダ８６ｄは、アーム部８６ｂを支柱８６ｃに沿って昇降させるように構成される。
【００４６】
第２チャンバ５４から搬送された基板Ｗ１は、図示しない回転機構により、傾斜した姿勢から水平姿勢にされて、鉛直搬送機構８６の第３のベルヌーイチャック８６ａに受け渡
される。スライダ８６ｄは、アーム部８６ｂを支柱８６ｃに沿って上昇させて、第３のベルヌーイチャック８６ａで保持された基板Ｗ１を鉛直方向へ搬送する。続いて、基板Ｗ１は、第４チャンバ５６へ搬送される。
【００４７】
第４チャンバ５６には、基板Ｗ１を水平搬送する水平搬送機構９０が設けられる。水平搬送機構９０としては、例えば、図３Ａ及び図３Ｂに示した搬送部７０を採用することができる。この場合の搬送部７０は、基板Ｗ１を水平に搬送することができるように、駆動部７１、第１のベルヌーイチャックユニット７２、及び第２のベルヌーイチャックユニット７３の設置角度が調整される。若しくは、水平搬送機構９０は、例えば、基板Ｗ１の裏面の幅方向中央部と両エッジ部のみに接触するように配置されたローラを有してもよい。第４チャンバ５６に搬送された基板Ｗ１は、水平搬送機構９０により、第５チャンバ５７へ搬送される。第５チャンバ５７には、図２に示した第５チャンバ５７と同様に、搬送部７０と、エアナイフ装置８８と、イオナイザ８９とが設けられる。
【００４８】
図６は、他の形態に係る洗浄装置５０の概略側断面図である。図６に示す洗浄装置５０は、図２及び図５に示した洗浄装置５０と同様に、第１チャンバ５３、第２チャンバ５４、第３チャンバ５５、第４チャンバ５６、及び第５チャンバ５７を有する。図６に示す洗浄装置５０は、図２及び図５に示した洗浄装置５０と類似の構成を有しているので、異なる部分を中心に説明する。
【００４９】
第１チャンバ５３には、基板Ｗ１を傾斜した状態で搬送する搬送部７０と、基板Ｗ１に対して研磨をするための研磨装置９１（処理部の一例に相当する）とが設けられる。第１チャンバ５３においては、第１のベルヌーイチャックユニット７２は、研磨装置９１がその間に配置されるように、所定の間隔で離間している。
【００５０】
研磨装置９１の具体的な構成について説明する。図７は、図６に示す研磨装置９１の概略側断面図である。図７に示すように、研磨装置９１は、回転モータ９２と、研磨ヘッド９３（ヘッド部の一例に相当する）と、アーム９４と、昇降モータ９５と、並進プレート９６と、並進モータ９７と、固定プレート９８と、を有する。
【００５１】
固定プレート９８は、第１チャンバ５３内に固定される。並進プレート９６は、並進モータ９７によって、固定プレート９８の面に対して並行移動するように構成される。アーム９４は、並進プレート９６に取り付けられ、昇降モータ９５によって、並進プレート９６の並進方向と直交する向きに昇降するように構成される。また、アーム９４は、研磨ヘッド９３を回転可能に保持する。研磨ヘッド９３は、回転モータ９２によって回転するように構成される。
【００５２】
研磨装置９１は、傾斜して搬送された基板Ｗ１を研磨するために、傾斜するように第１チャンバ５３内に設置される。並進プレート９６は、固定プレート９８に対して並進することにより、研磨ヘッド９３を基板Ｗ１の表面と平行に移動させることができる。また、アーム９４は、並進プレート９６の並進方向と直交する向きに移動することにより、基板Ｗ１に近接又は離間するように研磨ヘッド９３を移動させることができる。基板Ｗ１を研磨するときは、回転している研磨ヘッド９３を基板Ｗ１に近接させて、基板Ｗ１の平面を研磨ヘッド９３で押圧する。また、研磨の間、研磨ヘッド９３を基板Ｗ１の表面と平行に移動させることで、基板Ｗ１の全面を研磨することができる。
【００５３】
研磨ヘッド９３は、基板Ｗ１に対向する研磨面９３ｄと、研磨面９３ｄから露出するように設けられる研磨テープ９３ａと、研磨テープ９３ａを巻き出す巻出ローラ９３ｂと、研磨テープ９３ａを巻き取る巻取ローラ９３ｃと、を有する。研磨テープ９３ａは、例えば、幅約１０ｍｍから６０ｍｍ、長さ約２０ｍから１００ｍのベースフィルムの片面に、
ダイヤモンド粒子やＳｉＣ粒子等の砥粒を接着して構成される。研磨テープ９３ａに使用される砥粒は、基板Ｗ１の種類や、要求される研磨条件に応じて適宜選択され、例えば、平均粒径０．１μｍから５．０μｍの範囲のダイヤモンド粒子やＳｉＣ粒子等である。また、研磨テープ９３ａは、砥粒を接着させていない帯状の研磨布であってもよい。ベースフィルムとしては、例えば、ポリエステル、ポリウレタン、ポリエチレンテレフタラート等の可撓性を有する材料を使用することができる。
【００５４】
研磨テープ９３ａは、基板Ｗ１の研磨の進行に伴い、徐々に又は段階的に、所定速度で巻出ローラ９３ｂから巻取ローラ９３ｃに向かって一方向に送られる。これにより、研磨テープ９３ａの研磨面９３ｄから露出する部分が未使用部分になるので、常に正常な研磨テープ９３ａを基板Ｗ１に接触させることができる。図７に示す例では、研磨ヘッド９３は、一組の研磨テープ９３ａ、巻出ローラ９３ｂ、及び巻取ローラ９３ｃを有しているが、これらを複数組有していてもよい。
【００５５】
図８は、研磨装置９１で基板Ｗ１を研磨する例を示す斜視図である。図８に示すように、研磨装置９１の研磨ヘッド９３に対向する位置には、第１のベルヌーイチャックユニット７２を備えた多孔質プラテン９９が配置される。多孔質プラテン９９は、ポーラスセラミックやポーラスカーボンから形成され、基板Ｗ１の幅方向両端部に対向する位置に吸引孔９９ａを有する。図示しない真空源によって吸引孔９９ａから空気を吸引することにより、多孔質プラテン９９上を搬送されている基板Ｗ１の端部が、吸引孔９９ａに吸着される。これにより、研磨ヘッド９３が基板Ｗ１を研磨しているときに生じる摩擦により、基板Ｗ１が第１のベルヌーイチャックユニット７２からずれることを抑制することができる。
【００５６】
図９及び図１０は、研磨ヘッド９３で基板Ｗ１を研磨するときの、基板Ｗ１の搬送と研磨ヘッド９３の動きの例を示す概略図である。図９及び図１０に示す例では、２つの研磨装置９１が準備され、搬送方向の上流側に位置する研磨装置９１は粗い研磨を行い、搬送方向の下流側に位置する研磨装置は細かい研磨（仕上げ研磨）を行う。図９に示す例では、基板Ｗ１は間欠的に搬送される。即ち、所定距離の基板Ｗ１の搬送と、所定時間の搬送停止とが繰り返される。この場合、研磨装置９１の研磨ヘッド９３は、基板Ｗ１の搬送が停止している間に基板Ｗ１の幅方向に移動し、基板Ｗ１は、研磨ヘッド９３の移動が停止している間に所定距離だけ搬送される。図１０に示す例では、基板Ｗ１は連続的に搬送され、研磨ヘッド９３は連続的に往復移動する。この場合、基板Ｗ１の搬送と、研磨ヘッド９３の移動とが同時に行われる。
【００５７】
図６に戻り、洗浄装置５０の説明をする。第２チャンバ５４には、図５に示した第１チャンバ５３と同様に、搬送部７０と、円盤型スクラブ装置８１と、洗浄ジェットノズル装置８３とが設けられる。第２チャンバ５４では、基板Ｗ１は、搬送部７０により傾斜した状態で搬送されつつ、円盤型スクラブ装置８１で洗浄され、続いて洗浄ジェットノズル装置８３で洗浄される。
【００５８】
第３チャンバ５５には、図２に示した第３チャンバ５５と同様に、第３のベルヌーイチャック８５ａとリフタ８５ｂとを備えた鉛直搬送機構８５が設けられる。第４チャンバ５６には、図２に示した第４チャンバ５６及び図５に示した第２チャンバ５４と同様に、搬送部７０と、ロール型スクラブ装置８７が設けられる。第５チャンバ５７には、図２及び図５に示した第５チャンバ５７と同様に、搬送部７０と、エアナイフ装置８８と、イオナイザ８９とが設けられる。
【００５９】
図１１は、他の形態に係る洗浄装置５０の概略側断面図である。図１１に示す洗浄装置５０は、第１チャンバ５３、第２チャンバ５４、第３チャンバ５５、第４チャンバ５６、
第５チャンバ５７、第６チャンバ５８、及び第７チャンバ５９を有する。図１１に示す洗浄装置５０は、図２及び図５に示した洗浄装置５０と類似の構成を有しているので、異なる部分を中心に説明する。
【００６０】
第１チャンバ５３には、図６に示した第１チャンバ５３と同様に、基板Ｗ１を傾斜した状態で搬送する搬送部７０と、基板Ｗ１に対して研磨をするための研磨装置９１とが設けられる。第１チャンバ５３の研磨装置９１は、基板Ｗ１の上面を研磨する。第２チャンバ５４に、第１チャンバ５３から搬送された基板Ｗ１を表裏反転する反転機構８４が設けられる。反転機構８４は、図３Ａ及び図３Ｂに示した搬送部７０を有する。反転機構８４は、第１チャンバ５３から受け取った基板Ｗ１を、搬送部７０の駆動部７１、第１のベルヌーイチャックユニット７２、及び第２のベルヌーイチャックユニット７３（図３Ａ及び図３Ｂ参照）により保持し、表裏反転させる。反転された基板Ｗ１は、搬送部７０によって第３チャンバ５５に搬送される。
【００６１】
第３チャンバ５５には、図６に示した第１チャンバ５３と同様に、基板Ｗ１を傾斜した状態で搬送する搬送部７０と、基板Ｗ１に対して研磨をするための研磨装置９１とが設けられる。第３チャンバ５５の研磨装置９１は、反転された基板Ｗ１の上面を研磨する。したがって、第１チャンバ５３の研磨装置９１と、第３チャンバ５５の研磨装置９１により、基板Ｗ１の両面が研磨される。
【００６２】
第４チャンバ５６には、図２及び図６に示した第３チャンバ５５と同様に、第３のベルヌーイチャック８５ａとリフタ８５ｂとを備えた鉛直搬送機構８５が設けられる。第５チャンバ５７には、図２及び図６に示した第４チャンバ５６及び図５に示した第２チャンバ５４と同様に、搬送部７０と、ロール型スクラブ装置８７が設けられる。第６チャンバ５８には、図５に示した第１チャンバ５３及び図６に示した第２チャンバ５４と同様に、搬送部７０と、円盤型スクラブ装置８１と、洗浄ジェットノズル装置８３とが設けられる。第７チャンバ５９には、図２、図５、及び図６に示した第５チャンバ５７と同様に、搬送部７０と、エアナイフ装置８８と、イオナイザ８９とが設けられる。
【００６３】
以上で説明したように、本実施形態に係る洗浄装置５０によれば、搬送部７０が基板Ｗ１の上端部の端面を保持しながら基板Ｗ１を搬送するので、基板Ｗ１を傾斜した姿勢で搬送しても、基板Ｗ１が撓むことを抑制することができる。また、図２、図５、図６、図１１に示すように、洗浄処理、研磨処理、乾燥処理を含む様々な処理部を有する処理装置においても、搬送部７０により、基板Ｗ１が撓むことを抑制しつつ、適切に搬送することができる。
【００６４】
次に、本実施形態に係る処理装置を備えた他のめっき装置の例について説明する。図１２は、本実施形態に係る処理装置を備えた他のめっき装置の全体配置図である。本実施形態に係るめっき装置は、処理装置の一例として洗浄装置５０を有する。めっき装置２００は、図１２に示すように、基板ホルダに基板をロードするロード部２１０と、基板を処理する処理部２２０と、基板ホルダから基板をアンロードするアンロード部２３０と、洗浄部５０ａとに大きく分けられる。処理部２２０は、さらに、基板の前処理を行う前処理部２２０Ａと、基板にめっき処理を行うめっき処理部２２０Ｂと、基板の後処理を行う後処理部２２０Ｃと、を含む。なお、このめっき装置２００で処理する基板は、図１に示しためっき装置１００と同様に、角形基板、円形基板を含む。また、角形基板は、角形のプリント基板や、その他のめっき対象物を含む。
【００６５】
ロード部２１０には、２台のカセットテーブル２５と、基板脱着機構２９ａと、ストッカ３０と、基板搬送装置２７ａと、基板搬送装置２７ａの走行機構２８ａと、が配置されている。ロード部２１０の基板脱着機構２９ａは、基板を図示しない基板ホルダに保持さ
せる。ロード部２１０の後段側には、前処理部２２０Ａが配置される。前処理部２２０Ａは、プリウェット槽３２と、プリソーク槽３３と、プリリンス槽３４とを有する。プリウェット槽３２、プリソーク槽３３、プリリンス槽３４は、この順に配置されている。
【００６６】
前処理部２２０Ａの後段側には、めっき処理部２２０Ｂが配置される。めっき処理部２２０Ｂは、オーバーフロー槽３８を備えた複数のめっき槽３９を有する。めっき処理部２２０Ｂの後段側には、後処理部２２０Ｃが配置される。後処理部２２０Ｃは、リンス槽３６と、ブロー槽３５と、を有する。リンス槽３６、ブロー槽３５は、後段側に向かってこの順に配置されている。
【００６７】
後処理部２２０Ｃの後段側には、アンロード部２３０が配置される。アンロード部２３０には、２台のカセットテーブル２５と、基板脱着機構２９ｂと、基板搬送装置２７ｂと、基板搬送装置２７ｂの走行機構２８ｂと、が配置されている。洗浄部５０ａは、図２に示した洗浄装置５０を有する。基板搬送装置２７ｂは、めっき処理後の基板を洗浄装置５０に搬送し、洗浄装置５０から取り出すように構成される。
【００６８】
めっき装置２００は、これらの各機器の側方に位置して、これらの各機器の間で基板ホルダを基板とともに搬送する基板ホルダ搬送装置３７ａ，３７ｂを有する。基板ホルダ搬送装置３７ａ，３７ｂは、基板脱着機構２９ａ，２９ｂ、プリウェット槽３２、プリソーク槽３３、プリリンス槽３４、ブロー槽３５、リンス槽３６、及びめっき槽３９との間で基板ホルダを搬送するように構成される。図３に示すように２つの基板ホルダ搬送装置３７ａ，３７ｂを設けた場合は、めっき処理前の基板を保持した基板ホルダのみを一方の基板ホルダ搬送装置が搬送し、めっき処理後の基板を保持した基板ホルダのみを他方の基板ホルダ搬送装置が搬送するようにすることで、基板ホルダの受け渡しの待機時間が発生することを抑制している。なお、基板ホルダ搬送装置３７ａ，３７ｂは、いずれか一方のみめっき装置２００に設けられてもよい。この場合は、めっき装置のフットプリントを削減することができる。
【００６９】
以上で説明したように、本実施形態に係る洗浄装置５０は、図１２に示すようなロード部２１０とアンロード部２３０が離間して配置されるめっき装置２００にも備え付けることができる。
【００７０】
以上、本発明の実施形態について説明したが、上述した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲及び明細書に記載された各構成要素の任意の組み合わせ、又は省略が可能である。
【００７１】
以下に本明細書が開示する態様のいくつかを記載しておく。
【００７２】
第１態様によれば、処理装置が提供される。この処理装置は、処理物の平面が水平に対して搬送方向軸周りに傾斜した状態で前記被処理物を搬送する搬送部と、前記被処理物の前記平面に対して、研磨、洗浄、及び乾燥の少なくとも一つを実行する処理部と、を有する。前記搬送部は、前記被処理物の端部に物理的に接触して前記被処理物に搬送方向の力を加えるように構成される駆動部と、前記被処理物の前記平面に対向して配置される第１のベルヌーイチャックと、前記被処理物の前記端部とは逆側の端部の端面に対向して配置される第２のベルヌーイチャックと、を有する。
【００７３】
第１態様によれば、第２のベルヌーイチャックが被処理物の端面に対向して配置される
ので、被処理物の端部の端面を保持することができる。このため、被処理物を傾斜した姿勢で搬送しても、被処理物が撓むことを抑制することができる。また、被処理物の面内方向の位置を第２のベルヌーイチャックにより保持することができるので、被処理物の下端部を駆動部に安定して接触させ、安定して搬送することができる。
【００７４】
第２のベルヌーイチャックは、被処理物の厚さ方向の移動を制限することはできない。このため、被処理物が非常に柔らかい場合に、仮に被処理物の端部が湾曲して第２のベルヌーイチャックの対向位置からずれてしまうと、第２のベルヌーイチャックは被処理物の端面を適切に保持できなくなる。しかしながら、第１態様によれば、第１のベルヌーイチャックが被処理物の平面に対向して配置されるので、被処理物の厚さ方向の移動を制限し、被処理物の端部が湾曲することを防止することができる。このため、被処理物が非常に柔らかい場合であっても、被処理物の端部を第２のベルヌーイチャックの対向位置に保持することができ、その結果、第２のベルヌーイチャックが被処理物の端部の端面を適切に保持することができる。
【００７５】
また、第１態様によれば、被処理物の一端部が駆動部により搬送され、その逆側の端部は第２のベルヌーイチャックで保持される。このため、被処理物の下端部及び上端部の両方をローラ等の駆動部で搬送する場合に比べて、駆動部の数を減らすことができる。駆動部は、被処理物に物理的に接触するので、摩耗により定期的な交換が必要になる。したがって、駆動部の数を減らすことで、交換する駆動部の数も減ることになり、交換に要する作業コスト及び部品コストを低減することができる。また、駆動部の数が減ることで、被処理部への物理的な接触回数、接触時間を少なくして、被処理部への物理的な影響を低減することができる。
【００７６】
第２態様によれば、第１態様の処理装置において、前記搬送部は、前記被処理物の前記平面が水平に対して５°以上８５°以下の角度で傾斜した状態で前記被処理物を搬送するように構成される。
【００７７】
処理装置において、液体を使用した処理を被処理物に実施すると、被処理物の表面に付着したパーティクルが液体によって洗い流される。このとき、被処理物の傾斜角度が５°未満であると、パーティクルを含む液体が被処理物から落ち難くなる。また、傾斜角度が８５°超であると、液体が被処理物から直ちに落下するので、被処理物が乾燥する虞がある。被処理物が乾燥すると、被処理物に付着していた洗浄液に含まれるパーティクルが被処理物の表面に残ってしまう。そこで、第２態様によれば、パーティクルを含む液体を落下させつつ、被処理物の乾燥を抑制することができる。
【００７８】
第３態様によれば、第１又は第２態様の処理装置において、前記被処理物の両面に対向して配置される複数の前記第１のベルヌーイチャックを有する。
【００７９】
第３態様によれば、被処理物の両面が第１のベルヌーイチャックによって保持することができるので、被処理物の厚さ方向の移動をいっそう確実に制限することができる。
【００８０】
第４態様によれば、第１から第３態様のいずれかの処理装置において、前記被処理物の搬送方向に沿って配置される複数の前記第１のベルヌーイチャックを有し、前記処理部は、前記被処理物の搬送方向に沿って配置される複数の前記第１のベルヌーイチャックの間に配置される。
【００８１】
第４態様によれば、処理部が第１のベルヌーイチャックの間に配置されるので、被処理物の処理部によって処理されている部分の両側を第１のベルヌーイチャックで保持することができ、処理部による処理を安定して行うことができる。
【００８２】
第５態様によれば、第１から第４態様のいずれかの処理装置において、前記第２のベルヌーイチャックは、前記被処理物の搬送方向において、前記第１のベルヌーイチャックよりも長い。
【００８３】
第５態様によれば、第２のベルヌーイチャックで被処理物の端面を広い範囲で保持しつつ、第１のベルヌーイチャック間に研磨、洗浄、乾燥するための処理部を配置するスペースを確保することができる。
【００８４】
第６態様によれば、第１から第５態様のいずれかの処理装置において、前記第１のベルヌーイチャックは、前記被処理物を挟んで前記処理部と対向する位置に配置される。
【００８５】
第６形態によれば、処理部で基板Ｗ１の表面を処理するときに最も圧力が加わる被処理物の部分を、第１のベルヌーイチャックによって処理部の反対側から保持することができる。したがって、処理部を被処理物に押し付けても、被処理物が撓むことを抑制することができる。
【００８６】
第７態様によれば、第１から第６態様のいずれかの処理装置において、被処理物の入口と、前記被処理物の出口と、前記入口から投入された前記被処理物が搬送される第１搬送経路と、前記第１搬送経路において前記被処理物が搬送される方向とは逆方向に前記被処理物が搬送され、前記第１搬送経路及び前記出口につながる第２搬送経路と、前記第１搬送経路と前記第２搬送経路とを接続する鉛直搬送経路と、前記鉛直搬送経路において、前記第１搬送経路から前記第２搬送経路に向かって鉛直方向に前記被処理物を搬送する鉛直搬送機構を有する。
【００８７】
第７態様によれば、第１搬送経路と第２搬送経路において逆方向に被処理物が搬送されるので、第１搬送経路と第２搬送経路とによって往復経路が形成され、洗浄装置全体の長さを低減しつつ、十分な経路長を確保することができる。また、第１搬送経路と第２搬送経路とによって往復経路が形成されるので、入口と出口とを近接して配置することができる。これにより、１台の被処理物搬送装置が大きな移動をすることなく、入口への被処理物の投入、出口からの被処理物の取り出しを行うことができる。
【００８８】
第８態様によれば、第７態様の処理装置において、前記鉛直搬送機構は、前記被処理物を非接触で保持するように構成された第３のベルヌーイチャックを有する。第８態様によれば、被処理物を非接触で鉛直搬送することができる。
【００８９】
第９態様によれば、第１から第７態様の処理装置を備えためっき装置が提供される。このめっき装置は、めっき処理部と、基板搬送部と、を備える。前記基板搬送部は、前記めっき処理部でめっき処理された前記被処理物を前記処理装置の入口に投入し、前記処理装置で処理された前記被処理物を前記出口から取り出すように構成される。
【００９０】
第１０態様によれば、処理方法が提供される。この処理方法は、被処理物の平面が水平に対して搬送方向軸周りに傾斜した状態で前記被処理物を搬送する工程と、前記被処理物の前記平面に対して、研磨、洗浄、及び乾燥の少なくとも一つを実行する処理工程と、を有する。前記搬送する工程は、前記被処理物の端部に搬送方向の力を物理的に加える工程と、前記被処理物の厚さ方向の移動を制限するように、前記被処理物の前記平面を第１のベルヌーイチャックで保持する工程と、前記搬送方向と直交する前記被処理物の面内方向の移動を制限するように、前記被処理物の前記端部とは逆側の端部の端面を第２のベルヌーイチャックで保持する工程と、を有する。
【００９１】
第１０態様によれば、第２のベルヌーイチャックが被処理物の端部の端面を保持することができる。このため、被処理物を傾斜した姿勢で搬送しても、被処理物が撓むことを抑制することができる。また、被処理物の面内方向の位置を第２のベルヌーイチャックにより保持することができるので、被処理物の下端部を駆動部に安定して接触させ、安定して搬送することができる。
【００９２】
第２のベルヌーイチャックは、被処理物の厚さ方向の移動を制限することはできない。このため、被処理物が非常に柔らかい場合に、仮に被処理物の端部が湾曲して第２のベルヌーイチャックの対向位置からずれてしまうと、第２のベルヌーイチャックは被処理物の端面を適切に保持できなくなる。しかしながら、第１０態様によれば、第１のベルヌーイチャックが被処理物の平面を保持するので、被処理物の厚さ方向の移動を制限し、被処理物の端部が湾曲することを防止することができる。このため、被処理物が非常に柔らかい場合であっても、被処理物の端部を第２のベルヌーイチャックの対向位置に保持することができ、その結果、第２のベルヌーイチャックが被処理物の端部の端面を適切に保持することができる。
【００９３】
また、第１０態様によれば、被処理物の一端部に搬送方向の力が物理的に加えられ、その逆側の端部は第２のベルヌーイチャックで保持される。このため、被処理物の下端部及び上端部の両方に物理的な力が加えられる場合に比べて、被処理部への物理的な接触回数、接触時間を少なくして、被処理部への物理的な影響を低減することができる。
【００９４】
第１１態様によれば、第１０態様の処理方法において、前記搬送する工程は、前記被処理物の前記平面が水平に対して５°以上８５°以下の角度で傾斜した状態で前記被処理物を搬送する工程を含む。
【００９５】
液体を使用した処理を被処理物に実施すると、被処理物の表面に付着していたパーティクルが液体によって洗い流される。このとき、被処理物の傾斜角度が５°未満であると、パーティクルを含む液体が被処理物から落ち難くなる。また、傾斜角度が８５°超であると、液体が被処理物から直ちに落下するので、被処理物が乾燥する虞がある。被処理物が乾燥すると、被処理物に付着していた洗浄液に含まれるパーティクルが被処理物の表面に残ってしまう。そこで、第１１態様によれば、パーティクルを含む液体を落下させつつ、被処理物の乾燥を抑制することができる。
【００９６】
第１２態様によれば、第１０又は第１１態様の処理方法において、前記第１のベルヌーイチャックで保持する工程は、前記被処理物の両面を複数の前記第１のベルヌーイチャックで保持する工程を有する。
【００９７】
第１２態様によれば、被処理物の両面が第１のベルヌーイチャックによって保持することができるので、被処理物の厚さ方向の移動をいっそう確実に制限することができる。
【００９８】
第１３態様によれば、第１０から第１２態様のいずれかの処理方法において、前記搬送する工程は、第１搬送経路を通じて前記被処理物を搬送する工程と、前記第１搬送経路から第２搬送経路に向かって鉛直方向に前記被処理物を搬送する鉛直搬送工程と、前記第２搬送経路を通じて前記被処理物を搬送する工程と、を有する。前記鉛直搬送工程は、第３のベルヌーイチャックを用いて前記被処理物を非接触で保持しながら搬送する。第１３態様によれば、第１搬送経路から第２搬送経路に向かう鉛直搬送経路において、被処理物を非接触で鉛直方向に搬送することができる。
【００９９】
第１４態様によれば、第１０から第１３態様のいずれかの処理方法において、研磨、洗浄、及び乾燥の少なくとも一つを実行する前記処理工程は、ヘッド部に保持され、所定速
度で一方向に送られるテープ部材を前記被処理物の前記平面に押圧させて行う工程を含む。
【０１００】
第１５態様によれば、第１０から第１４態様のいずれかの処理方法において、研磨、洗浄、及び乾燥の少なくとも一つを実行する前記処理工程は、ヘッド部に保持されたシート状部材を前記被処理物の前記平面に押圧させて行う工程を含む。
【０１０１】
第１６態様によれば、被処理物の平面が水平に対して搬送方向軸周りに傾斜した状態で前記被処理物を搬送する搬送装置が提供される。この搬送装置は、前記被処理物の端部に物理的に接触して前記被処理物に搬送方向の力を加えるように構成される駆動部と、前記被処理物の前記平面に対向して配置される第１のベルヌーイチャックと、前記被処理物の前記端部とは逆側の端部の端面に対向して配置される第２のベルヌーイチャックと、を有する。
【０１０２】
第１６態様によれば、第２のベルヌーイチャックが被処理物の端面に対向して配置されるので、被処理物の端部の端面を保持することができる。このため、被処理物を傾斜した姿勢で搬送しても、被処理物が撓むことを抑制することができる。また、被処理物の面内方向の位置を第２のベルヌーイチャックにより保持することができるので、被処理物の下端部を駆動部に安定して接触させ、安定して搬送することができる。
【０１０３】
第２のベルヌーイチャックは、被処理物の厚さ方向の移動を制限することはできない。このため、被処理物が非常に柔らかい場合に、仮に被処理物の端部が湾曲して第２のベルヌーイチャックの対向位置からずれてしまうと、第２のベルヌーイチャックは被処理物の端面を適切に保持できなくなる。しかしながら、第１６態様によれば、第１のベルヌーイチャックが被処理物の平面に対向して配置されるので、被処理物の厚さ方向の移動を制限し、被処理物の端部が湾曲することを防止することができる。このため、被処理物が非常に柔らかい場合であっても、被処理物の端部を第２のベルヌーイチャックの対向位置に保持することができ、その結果、第２のベルヌーイチャックが被処理物の端部の端面を適切に保持することができる。
【０１０４】
また、第１６態様によれば、被処理物の一端部が駆動部により搬送され、その逆側の端部は第２のベルヌーイチャックで保持される。このため、被処理物の下端部及び上端部の両方をローラ等の駆動部で搬送する場合に比べて、駆動部の数を減らすことができる。駆動部は、被処理物に物理的に接触して摩耗するので、定期的な交換が必要になる。したがって、駆動部の数を減らすことで、交換する駆動部の数も減ることになり、交換に要する作業コスト及び部品コストを低減することができる。また、駆動部の数が減ることで、被処理部への物理的な接触回数、接触時間を少なくして、被処理部への物理的な影響を低減することができる。
【符号の説明】
【０１０５】
２７，２７ａ，２７ｂ…基板搬送装置
５０…洗浄装置
５１…入口
５２…出口
７０…搬送部
７１…駆動部
７２ａ…第１のベルヌーイチャック
７３ａ…第２のベルヌーイチャック
７３ｂ…第１のベルヌーイチャック
８１…円盤型スクラブ装置
８３…洗浄ジェットノズル装置
８５…鉛直搬送機構
８５ａ，８６ａ…第３のベルヌーイチャック
８６…鉛直搬送機構
８７…ロール型スクラブ装置
８８…エアナイフ装置
８９…イオナイザ
９０…水平搬送機構
９１…研磨装置
９３…研磨ヘッド
９３ａ…研磨テープ
１００，２００…めっき装置
１２０Ｂ，２２０Ｂ…めっき処理部
【図１】
2018085405.tif 000003
【図２】
2018085405.tif 000004
【図３Ａ】
2018085405.tif 000005
【図３Ｂ】
2018085405.tif 000006
【図４】
2018085405.tif 000007
【図５】
2018085405.tif 000008
【図６】
2018085405.tif 000009
【図７】
2018085405.tif 000010
【図８】
2018085405.tif 000011
【図９】
2018085405.tif 000012
【図１０】
2018085405.tif 000013
【図１１】
2018085405.tif 000014
【図１２】
2018085405.tif 000015
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
被処理物の平面が水平に対して搬送方向軸周りに傾斜した状態で前記被処理物を搬送する搬送部と、
前記被処理物の前記平面に対して、研磨、洗浄、及び乾燥の少なくとも一つを実行する処理部と、を有し、
前記搬送部は、
前記被処理物の端部に物理的に接触して前記被処理物に搬送方向の力を加えるように構成される駆動部と、
前記被処理物の前記平面に対向して配置される第１のベルヌーイチャックと、
前記被処理物の前記端部とは逆側の端部の端面に対向して配置される第２のベルヌーイチャックと、を有する、処理装置。
【請求項２】
請求項１に記載された処理装置において、
前記搬送部は、前記被処理物の前記平面が水平に対して５°以上８５°以下の角度で傾斜した状態で前記被処理物を搬送するように構成される、処理装置。
【請求項３】
請求項１又は２に記載された処理装置において、
前記被処理物の両面に対向して配置される複数の前記第１のベルヌーイチャックを有する、処理装置。
【請求項４】
請求項１から３のいずれか一項に記載された処理装置において、
前記被処理物の搬送方向に沿って配置される複数の前記第１のベルヌーイチャックを有し、
前記処理部は、前記被処理物の搬送方向に沿って配置される複数の前記第１のベルヌーイチャックの間に配置される、処理装置。
【請求項５】
請求項１から４のいずれか一項に記載された処理装置において、
前記第２のベルヌーイチャックは、前記被処理物の搬送方向において、前記第１のベルヌーイチャックよりも長い、処理装置。
【請求項６】
請求項１から５のいずれか一項に記載された処理装置において、
前記第１のベルヌーイチャックは、前記被処理物を挟んで前記処理部と対向する位置に配置される、処理装置。
【請求項７】
請求項１から６のいずれか一項に記載された処理装置において、
被処理物の入口と、
前記被処理物の出口と、
前記入口から投入された前記被処理物が搬送される第１搬送経路と、
前記第１搬送経路において前記被処理物が搬送される方向とは逆方向に前記被処理物が搬送され、前記第１搬送経路及び前記出口につながる第２搬送経路と、
前記第１搬送経路と前記第２搬送経路とを接続する鉛直搬送経路と、
前記鉛直搬送経路において、前記第１搬送経路から前記第２搬送経路に向かって鉛直方向に前記被処理物を搬送する鉛直搬送機構を有する、処理装置。
【請求項８】
請求項７に記載された処理装置において、
前記鉛直搬送機構は、前記被処理物を非接触で保持するように構成された第３のベルヌーイチャックを有する、処理装置
【請求項９】
請求項１から８のいずれか一項に記載された処理装置を備えためっき装置であって、
めっき処理部と、
基板搬送部と、を備え、
前記基板搬送部は、前記めっき処理部でめっき処理された前記被処理物を前記処理装置の入口に投入し、前記処理装置で処理された前記被処理物を前記処理装置の出口から取り出すように構成される、めっき装置。
【請求項１０】
被処理物の平面が水平に対して搬送方向軸周りに傾斜した状態で前記被処理物を搬送する工程と、
前記被処理物の前記平面に対して、研磨、洗浄、及び乾燥の少なくとも一つを実行する処理工程と、を有し、
前記搬送する工程は、
前記被処理物の端部に搬送方向の力を物理的に加える工程と、
前記被処理物の厚さ方向の移動を制限するように、前記被処理物の前記平面を第１のベルヌーイチャックで保持する工程と、
前記搬送方向と直交する前記被処理物の面内方向の移動を制限するように、前記被処理物の前記端部とは逆側の端部の端面を第２のベルヌーイチャックで保持する工程と、を有する、処理方法。
【請求項１１】
請求項１０に記載された処理方法において、
前記搬送する工程は、前記被処理物の前記平面が水平に対して５°以上８５°以下の角度で傾斜した状態で前記被処理物を搬送する工程を含む、処理方法。
【請求項１２】
請求項１０又は１１に記載された処理方法において、
前記第１のベルヌーイチャックで保持する工程は、前記被処理物の両面を複数の前記第１のベルヌーイチャックで保持する工程を有する、処理方法。
【請求項１３】
請求項１０から１２のいずれか一項に記載された処理方法において、
前記搬送する工程は、
第１搬送経路を通じて前記被処理物を搬送する工程と、
前記第１搬送経路から第２搬送経路に向かって鉛直方向に前記被処理物を搬送する鉛直搬送工程と、
前記第２搬送経路を通じて前記被処理物を搬送する工程と、を有し、
前記鉛直搬送工程は、第３のベルヌーイチャックを用いて前記被処理物を非接触で保持しながら搬送する、処理方法。
【請求項１４】
請求項１０から１３のいずれか一項に記載された処理方法において、
研磨、洗浄、及び乾燥の少なくとも一つを実行する前記処理工程は、ヘッド部に保持され、所定速度で一方向に送られるテープ部材を前記被処理物の前記平面に押圧させて行う工程を含む、処理方法。
【請求項１５】
請求項１０から１４のいずれか一項に記載された処理方法において、
研磨、洗浄、及び乾燥の少なくとも一つを実行する前記処理工程は、ヘッド部に保持されたシート状部材を前記被処理物の前記平面に押圧させて行う工程を含む、処理方法。
【請求項１６】
被処理物の平面が水平に対して搬送方向軸周りに傾斜した状態で前記被処理物を搬送する搬送装置であって、
前記被処理物の端部に物理的に接触して前記被処理物に搬送方向の力を加えるように構成される駆動部と、
前記被処理物の前記平面に対向して配置される第１のベルヌーイチャックと、
前記被処理物の前記端部とは逆側の端部の端面に対向して配置される第２のベルヌーイチャックと、を有する、搬送装置。